(57)【要約】【課題】腰のツイスト運動機能を備えて体の全身運動効果を達成し、更に良好な運動目的を達成するツイスト、ステップ式運動器具を提供する。【解決手段】ツイスト、ステップ式運動器具は、底基台、少なくとも一固定台、一組以上の上、下可動腕、踏板組、連接片及び弾性ユニットを含む。使用者は踏板組上に足を置き、該踏板組が弾性ユニットを押し、弾性ユニットによって、彈性回復力を提供し、ユーザーは上下ステップする他に、該踏板組が更に左右回転する。【選択図】図１
0003160386.tif 000002
【実用新案登録請求の範囲】
【請求項１】
ツイスト、ステップ式運動器具において、少なくとも
１つの底基台と、
該底基台上に設置する少なくとも１つの固定台と、
一端は該固定台上に枢設し、別端には踏板組を連接し、且つ上下に配列する一組と一組以上の上、下可動腕と、
設於該上、下可動腕一端に設置し、二枚の回転踏板を設置する踏板組と、
地面と平行な平面部及び枢設部を備え、該踏板組は回転軸ユニットで該平面部上に設置し、枢設部によって該上、下可動腕一端に枢設する連接片と、
踏板組と連接片の間に設置し、該踏板組は該回転軸ユニットを軸心として、該連接片上で回転する回転軸ユニットと、
該踏板組と連結し、該踏板組の下方に設置し、踏板組の上、下動作を提供する弾力として用いる少なくとも１つの弾性ユニットを含むことを特徴とするツイスト、ステップ式運動器具。
【請求項２】
前記回転軸ユニットは、少なくとも、
固定部品と、
連接片の平面部に固定する回転軸と、
踏板組の下方に固定し、嵌合孔を設置して該回転軸を嵌合するのに用い、また該固定部品は該回転軸を設置して該連接管と連結するのに用いる連接管を含むことを特徴とする請求項１記載のツイスト、ステップ式運動器具。
【請求項３】
前記嵌合孔は、その内壁と回転軸の間に更に少なくとも１つの軸カバーを設置することを特徴とする請求項２記載のツイスト、ステップ式運動器具。
【請求項４】
前記ツイスト、ステップ式運動器具は、更に遮蔽板を設置し、該遮蔽板は該底基台上に設置して該固定台及び弾性ユニットを遮るのに用いることを特徴とする請求項１記載のツイスト、ステップ式運動器具。
【請求項５】
前記連接片の平面部には、更に突出表面の位置限定塊を設置し、該踏板組の回転角度を制限することを特徴とする請求項１記載のツイスト、ステップ式運動器具。
【請求項６】
前記底基台の底部には位置限定台を設置し、該位置限定台は弾性ユニットをその上に設置して該弾性ユニットを動かさないようにすることを特徴とする請求項１記載のツイスト、ステップ式運動器具。
【請求項７】
前記弾性ユニットは、バネもしくはゴムとすることを特徴とする請求項６記載のツイスト、ステップ式運動器具。
【請求項８】
前記踏板組は、下方に上緩衝ゴムを設置し、該上緩衝ゴムは該弾性ユニットの凸部を入れて設置し、また該位置限定台上には該弾性ユニットの凸柱を入れて設置し、該位置限定台上の該弾性ユニットに相対する箇所には、下緩衝ゴムを設置し、該凸部と凸柱の隙間によって該弾性ユニットの弾力を制御することを特徴とする請求項６記載のツイスト、ステップ式運動器具。
【請求項９】
前記弾性ユニットの外側は、更に保護蓋を設置し、該保護蓋は連接片に固定することを特徴とする請求項１記載のツイスト、ステップ式運動器具。
【請求項１０】
前記ツイスト、ステップ式運動器具は、更に引き紐を設置し、該引き紐の一端には該底基台を固定することを特徴とする請求項１記載のツイスト、ステップ式運動器具。
【考案の詳細な説明】
【技術分野】
【０００１】
本考案は、ツイスト、ステップ式運動器具に関するもので、特にユーザーに上、下ステップ、左右ツイストの運動効果を提供し、全身運動で健康を高める効果のツイスト、ステップ式運動器具に係わる。
【背景技術】
【０００２】
健康器具の種類は、健康増進の目的に合わせて異なる機能の構造設計がある。ユーザーの求めに符合して異なる健康効果を備え、随時便利に操作使用できることで、健康器具は広く消費者に支持されている。
【０００３】
そのうち、最も家庭で受け入れられている健康器具は、ステッパー構造である。ステッパーは軽量で収納しやすい特性を備えており、更に使い易いこともあって、家族で使用されている。
【考案の概要】
【考案が解決しようとする課題】
【０００４】
解決しようとする問題点は、公知のステッパーの設計は、模擬歩行の運動方式によってその構造が設計されているため、操作時にはただステップする運動効果しか提供されていないことにある。依って、ユーザーの運動量は確かに向上するものの、その他の運動に依る効果は得ることができず(ユーザーが得られるのは歩行に依る運動量と歩行時の筋肉運動だけである)、ステッパーを使用したことで全身の運動効果を向上させることができない。
【０００５】
本考案者は、上述の問題を鑑み、公知ステッパーの構造機能がただ模擬歩行にしかないと考え、運動量を上げる以外に、まったくその他の筋肉運動の効果を得ることができないことから、本考案者は長年設計、製造に携わってきた経験から各方面を慎重に考慮し本構造を提供し、公知の問題を解決するに至った。
【課題を解決するための手段】
【０００６】
本考案は、底基台、少なくとも一固定台、一組以上の上、下可動腕、踏板組、連接片及び弾性ユニットを含む。使用者は踏板組上に足を置き、該踏板組が弾性ユニットを押し、弾性ユニットによって、彈性回復力を提供し、ユーザーは上下ステップする他に、該踏板組が更に左右回転することを最も主要な特徴とする。
【考案の効果】
【０００７】
本考案のツイスト、ステップ式運動器具は、腰のツイスト運動機能を備えて体の全身運動効果を達成し、更に良好な運動目的を達成するという利点がある。
【図面の簡単な説明】
【０００８】
【図１】本考案のツイスト、ステップ式運動器具の第一実施例の立体構造図である。
【図２】本考案のツイスト、ステップ式運動器具の第一実施例の構造指示図である。
【図３】本考案の回転軸ユニットの構造指示図である。
【図４】本考案のツイスト、ステップ式運動器具の上下ステップ動作指示図である。
【図５】本考案のツイスト、ステップ式運動器具の左右ツイスト動作指示図である。
【図６】本考案の回転踏板の回転角度を制限した構造指示図である。
【図７】本考案の回転踏板の回転角度を制限した構造指示図である。
【図８】本考案の弾性ユニットの構造指示図である。
【考案を実施するための形態】
【０００９】
簡単に使用できる構造で、ユーザーに上、下ステップ運動効果を提供し、更には体の全体運動効果を有するツイスト、ステップ式運動器具を提供することを本考案の目的とする。本考案は更に製造コストが更に下がり、産業競争力を備える。また弾性ユニットによって重量が下へ降りるときに衝撃力を緩和し、運動傷害を減らす。
【００１０】
本考案の上述の目的を達成するため、本考案のツイスト、ステップ式運動器具は、底基台、少なくとも一固定台、一組以上の上、下可動腕、踏板組、連接片及び弾性ユニットを含む。該固定台は、該底基台上に設置し、該上、下可動腕の一端は該固定台上に枢設し、別端は踏板を連接する。該踏板組は連接片で該上、下可動腕の一端に設置し、該弾性ユニットは、該踏板組と連結して踏板組が上、下動作する弾力を提供する。それらによって、使用者が踏板組上に乗り、該踏板組が弾性ユニットを押すと、弾性ユニットによって弾性回復力を提供し、ユーザーは上下ステップする。また上下ステップする他に、該踏板組は左右に回転し、腰のツイスト運動機能も備え、体の全体的な運動効果を達成し、更に良好な運動目的を達成することができる。
【実施例】
【００１１】
本考案の構造構成及び全体の作動方式を説明するため図式と共に下述のとおり、説明する。
【００１２】
本考案のツイスト、ステップ式運動器具に於いて、図１及び図２に示すのが本考案の第一実施例で、該ツイスト、ステップ式運動器具１は、少なくとも以下を含む。
【００１３】
一底基台１１。
【００１４】
少なくとも一固定台１２は、該底基台１１上に設置する。
【００１５】
一組と一組以上の上、下可動腕１３１、１３２は、当図の実施例では二組の上、下可動腕１３１、１３２を設置している。該上、下可動腕１３１、１３２一端は該固定台１２上に枢設し、別端は踏板組１５に連接し、且つ該上、下可動腕１３１、１３２は上下に配列する。
【００１６】
踏板組１５は、該上、下可動腕１３１、１３２一端に設置し、該踏板組１５は二枚の回転踏板１５１を設置する。
【００１７】
連接片１８は、地面に平行な平面部１８１及び枢設部１８２を備え、該踏板組１５は回転軸ユニット１４によって該平面部１８１上に設置し、更に枢設部１８２に依って該上、下可動腕１３１、１３２一端に枢設する。
【００１８】
回転軸ユニット１４は、踏板組１５と連接片１８間に設置する。図３に示すとおり、該回転軸ユニット１４は、少なくとも固定部品１４１、回転軸１４２及び連接管１４３を設置する。該回転軸１４２は、連接片の平面部１８１に固定し、該連接管１４３は踏板組の各回転踏板１５１下方に固定し、該連接管１４３には嵌合孔１４４を設置して該回転軸１４２を嵌合するのに用いる。該嵌合孔１４４内壁と回転軸１４２の間には、更に少なくとも一軸カバー１４５を設置し、該軸カバー１４５は、粉末冶金で製造する。また該固定部品１４１(ネジでもよい)は、該回転軸１４２と該連接管１４３を連結するのに用い、該踏板組の各回転踏板１５１は該回転軸ユニット１４を軸心として該連接片１８上で回転する。
【００１９】
少なくとも一弾性ユニット１９１は、バネもしくはゴムでもよい。該弾性ユニット１９１は、該踏板組１５と連結し、踏板組１５が上、下に動作するための弾力として提供される。そのうち、該バネ１９１は、踏板組１５下方に相対して設置し、該弾性ユニット１９１外側には更に保護蓋１９２を設置して被せ、該保護蓋１９２は連接片１８に固定する。
【００２０】
遮蔽板１６は、該底基台１１上に設置して該固定台１２及び弾性ユニット１９１を遮るのに用いる。
【００２１】
使用する時、ユーザーは両足で各回転踏板１５１上に立ち、図４及び図５に示すとおり、ユーザーは該ツイスト、ステップ式運動器具によって上下にステップする運動効果だけでなく、該踏板組の各回転踏板１５１によって左右にツイストすることができ、腰のツイスト運動機能を備える。当然、該ツイスト、ステップ式運動器は、更に引き紐２を設置し、該引き紐２一端は、該底基台１１に固定し、ユーザーが該ツイスト、ステップ式運動器具１の足の運動に使用し、同時にまた該引き紐２によって手足の運動を行う。
【００２２】
更に、該連接片の平面部１８１には、更に突出表面の位置限定塊１８３を設置し、図６、図７に示すとおり、該踏板組の各回転踏板１５１の回転角度を制限するのに用いる。 
【００２３】
その他、図２及び図８に示すとおり、該底基台１１底部には、位置限定台１９３を設置する。該位置限定台１９３は、弾性ユニット１９１をその上に設置し、該弾性ユニット１９１を移動させないようにする。該踏板組の各回転踏板１５１下方には、上緩衝ゴム１９４を設置し、該上緩衝ゴム１９４は該弾性ユニット１９１の凸部１９５に設置し、該位置限定台１９３上には該弾性ユニット１９１の凸柱１９６を設置する。該位置限定台１９３上の該弾性ユニット１９１に相対する箇所には下緩衝ゴム１９７を設置し、該凸部１９５と凸柱１９６の隙間によって、該弾性ユニット１９１の弾力を制御する。
【００２４】
特に、本考案は、公知のステッパーが擬似歩行の運動効果だけを提供し、運動量を向上出来なかったことについて改善している。本考案のツイスト、ステップ式運動器具は、ユーザーにステップの運動効果及び左、右回転のツイスト運動を提供し、全身の筋肉運動だけでなく、運動量を高めてユーザーの消耗熱量を増やしている。
【００２５】
上述のとおり、本考案は、ツイスト、ステップ式運動器具を提供し、法に基づき実用新案登録を申請する。しかしながら、以上の実施説明及び図式に示すものは、本考案の良好な実施例のひとつにすぎず、本考案を制限するものではない。依って、本考案の構造、装置、特徴等に近似、雷同するものは、すべて本考案の目的及び請求の範囲に属するものとする。
【符号の説明】
【００２６】
１        ツイスト、ステップ式運動器具
１１        底基台
１２        固定台
１３１        上可動腕
１３２        下可動腕
１４        回転軸ユニット
１４１        固定部品
１４２        回転軸
１４３        連接管
１４４        嵌合孔
１４５        軸カバー
１５        踏板組
１５１        回転踏板
１６        遮蔽板
１８        連接片
１８１        平面部
１８２        枢設部
１８３        位置限定塊
１９１        弾性ユニット
１９２        保護蓋
１９３        位置限定台
１９４        上緩衝ゴム
１９５        凸部
１９６        凸柱
１９７        下緩衝ゴム
２        引き紐
【図１】
0003160386.tif 000003
【図２】
0003160386.tif 000004
【図３】
0003160386.tif 000005
【図４】
0003160386.tif 000006
【図５】
0003160386.tif 000007
【図６】
0003160386.tif 000008
【図７】
0003160386.tif 000009
【図８】
0003160386.tif 000010
【手続補正書】
【提出日】平成22年4月12日(2010.4.12)
【手続補正１】
【補正対象書類名】実用新案登録請求の範囲
【補正対象項目名】請求項２
【補正方法】変更
【補正の内容】
【請求項２】
前記回転軸ユニットは、少なくとも、
固定部品と、
連接片の平面部に固定する回転軸と、
踏板組の下方に固定し、嵌合孔を設置して該回転軸を嵌合するのに用い、また該固定部品
は該回転軸を設置して該回転軸と連結するのに用いる連接管を含むことを特徴とする請求
項１記載のツイスト、ステップ式運動器具。